(57)【特許請求の範囲】
【請求項１】
車両が具備するスイッチケースに配設され、当該車両の前照灯を前方に向けて照射させる前方照射位置、下方に向けて照射させる下方照射位置、及び一時的に前方照射させるパッシング位置の間で揺動操作可能なディマースイッチノブと、
該ディマースイッチノブを揺動自在に支持する支持部材と、
前記ディマースイッチノブの位置に応じて所定の回路を形成し、車両の前照灯の切り替えを行わせる切換手段と、
前記支持部材から突出形成された軸部に取り付けられるとともに、前記ディマースイッチノブの前記下方照射位置からパッシング位置への揺動時、当該ディマースイッチノブを下方照射位置側へ付勢することにより自動的に復元させるための復元ばねと、
を具備したディマースイッチにおいて、
前記ディマースイッチノブには、前記復元ばねを覆うことにより当該復元ばねを前記軸部に固定させる固定部が一体的に形成されたことを特徴とするディマースイッチ。
【請求項２】
固定接点が形成されて前記支持部材に固定された接点板と、
前記ディマースイッチノブに組み付けられて当該ディマースイッチノブと連動可能とされるとともに、前記接点板の固定接点と接触又は離間可能な可動接点が形成された可動部材と、
を具備したことを特徴とする請求項１記載のディマースイッチ。
【請求項３】
前記復元ばねは、巻き部を前記軸部に取り付けたねじりコイルばねから成り、その一端がパッシング位置まで揺動された前記ディマースイッチノブと当接可能とされるとともに、他端が前記支持部材に固定されたことを特徴とする請求項１又は請求項２記載のディマースイッチ。
【発明の詳細な説明】
【技術分野】
【０００１】
本発明は、車両の前照灯を前方照射と下方照射とで切換操作するためのディマースイッチに関するものである。
【背景技術】
【０００２】
一般に、二輪車用のディマースイッチは、ハンドルバーにおける把持グリップ近傍に取り付けられたスイッチケースに配設され、車両の前照灯を前方照射（ハイビーム）と下方照射（ロービーム）とに切換操作可能とされている。かかる前照灯は、下方照射すべく光軸を進行方向に対して下方に向けた下方照射用ライトと、前方照射すべく光軸を進行方向に対して略平行に向けた前方照射用ライトとから構成されており、下方照射用ライトのみが点灯すると下方を照射し、前方照射用ライトが点灯すると前方を照射し得るよう構成されている。
【０００３】
ところで、ディマースイッチは、通常、前後方向に揺動可能なシーソー型のスイッチノブを有しており、運転者が当該ディマースイッチノブを後方側の位置（下方照射位置）とすれば、車両が搭載する切換回路における所定回路が導通して、下方照射用ライトを点灯させ下方照射状態とするとともに、前方側の位置（前方照射位置）とすれば、切換回路における他の回路が導通して、前方照射用ライトを点灯させ前方照射とし得るよう切換操作が可能とされていた。
【０００４】
然るに、従来より、例えば下方照射位置にあるディマースイッチノブを更に後方側へ揺動させることにより、前方照射用ライトを一時的に点灯させてパッシングさせ得るよう構成されたものが提案されている。パッシング操作時においては、指を離すとディマースイッチノブが自動的に元の位置（即ち、下方照射位置）まで揺動して復元する構成が一般に採用されており、この自動的な復元を図るべくねじりコイルばね（復元ばね）が設けられている。
【０００５】
具体的には、ディマースイッチノブを揺動自在に支持する支持部材に軸部を形成し、該軸部にねじりコイルばねの巻き部を挿通させるとともに、当該軸部先端にプッシュナットを嵌め込むことによりねじりコイルばねの抜け止め及び固定が図られていた。プッシュナットは、軸部先端に嵌め込まれると変形して圧入するようになっており、ねじりコイルばねの巻き部を強固に固定することが可能になっている。
【０００６】
そして、ディマースイッチノブがパッシング位置まで揺動されると、ねじりコイルばねの一端が当該ディマースイッチノブと当接し、下方照射位置方向に付勢力が付与されるよう設定されており、これによりパッシング操作時の自動復元が可能とされていた。尚、かかる先行技術は、文献公知発明に係るものでないため、記載すべき先行技術文献情報はない。
【発明の開示】
【発明が解決しようとする課題】
【０００７】
しかしながら、上記従来のディマースイッチにおいては、ねじりコイルばねを支持部材の軸部に固定させるべく当該軸部先端にプッシュナットを嵌め込んでいたため、その分だけ部品点数が増加し、製造コスト及び組み付け時の作業性を悪化させてしまうという問題があった。また、メンテナンスなどで分解作業が必要な場合、一旦プッシュナットを軸部から取り外してしまうと再度の軸部への嵌め込みが不可能とされ、別個新たなプッシュナットが必要であるという問題もあった。
【０００８】
本発明は、このような事情に鑑みてなされたもので、部品点数を削減して製造コストの抑制及び組み付け時の作業性の向上を図ることができるとともに、容易に復元ばねを繰り返し固定させ得るディマースイッチを提供することにある。
【課題を解決するための手段】
【０００９】
請求項１記載の発明は、車両が具備するスイッチケースに配設され、当該車両の前照灯を前方に向けて照射させる前方照射位置、下方に向けて照射させる下方照射位置、及び一時的に前方照射させるパッシング位置の間で揺動操作可能なディマースイッチノブと、該ディマースイッチノブを揺動自在に支持する支持部材と、前記ディマースイッチノブの位置に応じて所定の回路を形成し、車両の前照灯の切り替えを行わせる切換手段と、前記支持部材から突出形成された軸部に取り付けられるとともに、前記ディマースイッチノブの前記下方照射位置からパッシング位置への揺動時、当該ディマースイッチノブを下方照射位置側へ付勢することにより自動的に復元させるための復元ばねとを具備したディマースイッチにおいて、前記ディマースイッチノブには、前記復元ばねを覆うことにより当該復元ばねを前記軸部に固定させる固定部が一体的に形成されたことを特徴とする。
【００１０】
請求項２記載の発明は、請求項１記載のディマースイッチにおいて、固定接点が形成されて前記支持部材に固定された接点板と、前記ディマースイッチノブに組み付けられて当該ディマースイッチノブと連動可能とされるとともに、前記接点板の固定接点と接触又は離間可能な可動接点が形成された可動部材とを具備したことを特徴とする。
【００１１】
請求項３記載の発明は、請求項１又は請求項２記載のディマースイッチにおいて、前記復元ばねは、巻き部を前記軸部に取り付けたねじりコイルばねから成り、その一端がパッシング位置まで揺動された前記ディマースイッチノブと当接可能とされるとともに、他端が前記支持部材に固定されたことを特徴とする。
【発明の効果】
【００１２】
請求項１の発明によれば、復元ばねを覆うことにより当該復元ばねを軸部に固定させる固定部がディマースイッチノブに一体的に形成されたので、部品点数を削減して製造コストの抑制及び組み付け時の作業性の向上を図ることができるとともに、容易に復元ばねを繰り返し軸部に固定することができる。
【００１３】
請求項２の発明によれば、可動接点を有した可動部材がディマースイッチノブとは別体とされ、当該ディマースイッチノブに組み付けられて連動可能とされたので、可動部材を支持させた支持部材をスイッチケースに組み付けた後、ディマースイッチノブを組み付けることができ、組み付け作業性を容易とすることができる。また、可動部材とディマースイッチとを一体的に成形されるものに比べ、ディマースイッチノブを薄肉とすることができ、当該ディマースイッチノブの成形時にひけ等が生じてしまうのを回避することができる。
【００１４】
請求項３の発明によれば、復元ばねがねじりコイルばねから成り、そのねじりコイルばねの一端がパッシング位置まで揺動されたディマースイッチノブと当接可能とされるとともに、他端が支持部材に固定されるため、復元ばねをより確実に支持部材に対して固定させることができる。
【発明を実施するための最良の形態】
【００１５】
以下、本発明の実施形態について図面を参照しながら具体的に説明する。
本実施形態に係るディマースイッチは、二輪車に搭載された前照灯を前方照射（ハイビーム）と下方照射（ロービーム）とで切り換え操作するためのもので、図１乃至図８に示すように、ディマースイッチノブ２と、支持部材５と、接点板６と、可動部材７と、復元ばねとしてのねじりコイルばね１０とから主に構成され、二輪車の左側ハンドルバーＨにおける把持グリップＧ近傍に取り付けられたスイッチケース１に配設されたものである。
【００１６】
スイッチケース１は、前後２つの半割れ形状部品から成り、これら半割れ形状部品を左側ハンドルバーＨに対して挟持させつつ合致させた後、ボルトなどにより締付固定して図１で示す如く取り付けられている。尚、スイッチケース１には、同図に示すように、ディマースイッチノブ２の他、ウィンカを点滅操作するためのターンシグナルスイッチノブ３、及びホーンを作動するためのホーンスイッチボタン４などが配設されている。
【００１７】
ディマースイッチノブ２は、例えば図４で示す如き樹脂成形品から成り、車両の前照灯を前方に向けて照射させる前方照射位置（図１１参照）、下方に向けて照射させる下方照射位置（図１０参照）、及び一時的に前方照射させるパッシング位置（図１２参照）の間で揺動操作可能とされている。このディマースイッチノブ２の裏面側略中央には、図４で示すように、凸部２ａが形成されるとともに、裏面側縁部には後述する固定部２ｂが一体的に形成されている。
【００１８】
可動部材７は、図５に示すように、その上面に形成された嵌合孔７ａと、両側面に形成された揺動軸用孔７ｂと、一方の側面に形成された可動接点７ｃとを有した例えば樹脂成形品から成るとともに、嵌合孔７ａにディマースイッチノブ２の凸部２ａを嵌入させることにより、当該ディマースイッチノブに組み付けられて連動可能とされたものである。尚、可動部材７の下面側には、孔（不図示）が形成されており、図３に示すように、当該孔にバネ８及びボール９が収容され得るよう構成されている。
【００１９】
支持部材５は、ディマースイッチノブ２を揺動自在に支持するためのもので、図２及び図７に示すように、軸部５ａと、揺動軸５ｂと、アクション山５ｃと、バネ取付部５ｄ及び５ｅとが一体形成された例えば樹脂成形品から成る。このうち軸部５ａは、支持部材５の一方の側面から突出形成されたもので、ねじりコイルばね１０の巻き部１０ｃが取り付けられるよう寸法等が設定されている（図８及び図９参照）。
【００２０】
揺動軸５ｂは、接点板６側の揺動軸６ｂとともに可動部材７に形成された揺動軸用孔７ｂに挿通され、当該可動部材７及びディマースイッチノブ２が揺動する際の中心軸を成すものである。アクション山５ｃは、可動部材７の揺動に伴いボール９が摺動することにより、当該可動部材７及びディマースイッチノブ２の揺動操作時の節度を付与するためのものである。
【００２１】
接点板６は、図２及び図６に示すように、支持部材５に固定されるものであり、軸部６ａと、揺動軸６ｂと、固定接点６ｃとが形成された例えば樹脂成形品から成る。即ち、接点板６が支持部材５に固定されるとともに、当該接点板６と支持部材５との間において可動部材７が揺動自在に組み付けられており、これらをユニットとして取り扱い可能とされているのである。
【００２２】
そして、支持部材５の軸部５ａと接点板６の軸部６ａとをスイッチケース１の所定位置に嵌め込んで位置決めするとともに、ボルトＢ１及びＢ２にて支持部材５をスイッチケース１に固定することにより、ユニット化された接点板６、支持部材５及び可動部材５をスイッチケース１内に組み付け得るようになっている。尚、図２中符号Ｗは、接点板６の各固定接点６ｃから延設された配線Ｗを示している。
【００２３】
然るに、ディマースイッチノブ２を押圧操作して当該ディマースイッチノブ２及び可動部材７が揺動軸５ｂ、６ｂを中心に揺動すると、その揺動に応じて可動接点７ｃが固定接点６ｃと選択的に接触し、配線Ｗを介して所定の回路が形成されるよう構成されている。具体的には、ディマースイッチノブ２が前方照射位置又はパッシング位置にあるとき前照灯を前方に向けて照射させるべき所定回路、下方照射位置にあるとき前照灯を下方に向けて照射させるべき所定回路が形成され、二輪車の前照灯の切り替えが行われるようになっている。尚、可動部材７に形成された可動接点７ｃ及び接点板６に形成された固定接点６ｃが本発明の切替手段を構成している。
【００２４】
ねじりコイルばね１０（復元ばね）は、支持部材５の軸部５ａに取り付けられるとともに、ディマースイッチノブ２の下方照射位置からパッシング位置への揺動時、当該ディマースイッチノブ２を下方照射位置側へ付勢することにより自動的に復元させるためのものであり、図８に示すように、一端１０ａから巻き部１０ｃを介し他端１０ｂまで延びて構成されている。
【００２５】
ねじりコイルばね１０は、図１０に示すように、巻き部１０ｃが軸部５ａに取り付けられるとともに、一端１０ａが支持部材５のバネ取付部５ｅに、他端１０ｂはバネ取付部５ｄにそれぞれ取り付けられるよう構成されている。尚、一端１０ａは、ディマースイッチノブ２の縁部にて押圧されると、その方向に移動が許容されている一方、他端１０ｂはバネ取付部５ｄに固定され移動が規制されている。
【００２６】
そして、ディマースイッチノブ２が下方照射位置にあるとき（図１０参照）、及び前方照射位置にあるとき（図１１参照）は、ねじりコイルばね１０の一端１０ａとディマースイッチノブ２とは当接せず離間した状態が保持されるとともに、図１２に示すように、当該ディマースイッチノブ２を下方照射位置からパッシング位置まで揺動させることにより、当該一端１０ａがディマースイッチノブ２の縁部と当接してその方向に移動することとなる。
【００２７】
しかして、ディマースイッチノブ２に対してねじりコイルばね１０による同図矢印方向の付勢力が付与されるので、パッシング位置まで揺動操作させた指をディマースイッチノブ２から離すと、下方照射位置まで自然に戻ることとなる。従って、パッシング位置まで揺動操作したディマースイッチノブ２を自動的に下方照射位置まで復元することが可能とされている。
【００２８】
ここで、本実施形態においては、図９〜図１２に示すように、ねじりコイルばね１０の巻き部１０ｃをディマースイッチノブ２の固定部２ｂにて覆うことにより、軸部５ａに固定し得るよう構成されている。即ち、ディマースイッチノブ２における縁部の一部である固定部２ｂが巻き部１０ｃと近接しつつ覆っているので、従来の如きプッシュナット等がなくても、少なくともねじりコイルばね１０の軸部５ａからの抜け方向の移動を規制して固定することができるのである。
【００２９】
従って、ねじりコイルばね１０を覆うことにより当該ねじりコイルばね１０を軸部５ａに固定させる固定部２ｄがディマースイッチノブ２に一体的に形成されたので、従来の如くプッシュナットにて固定させるものに比べ、部品点数を削減して製造コストの抑制及び組み付け時の作業性の向上を図ることができるとともに、容易にねじりコイルばね１０を繰り返し軸部５ａに固定することができる。
【００３０】
また、本実施形態によれば、可動接点７ｃを有した可動部材７がディマースイッチノブ２とは別体とされ、当該ディマースイッチノブ２に組み付けられて連動可能とされたので、可動部材７を支持させた支持部材５をスイッチケース１に組み付けた後、ディマースイッチノブ２を組み付けることができ、組み付け作業性を容易とすることができる。また、可動部材とディマースイッチとを一体的に成形されるものに比べ、ディマースイッチノブ２を薄肉とすることができ、当該ディマースイッチノブ２の成形時にひけ等が生じてしまうのを回避することができる。
【００３１】
更に、本実施形態によれば、ディマースイッチノブ２を自動的に復元させるための復元ばねがねじりコイルばね１０から成り、そのねじりコイルばね１０の一端１０ａがパッシング位置まで揺動されたディマースイッチノブ２と当接可能とされるとともに、他端１０ｂが支持部材５に固定されるため、復元ばねをより確実に支持部材５に対して固定させることができる。
【００３２】
以上、本実施形態について説明したが、本発明はこれに限定されるものではなく、例えば可動接点を形成し得る可動部材と一体にディマースイッチノブを成形するようにしてもよく、或いは接点板と支持部材とを一体に成形して可動部材及びディマースイッチノブを揺動自在に支持するようにしてもよい。また、本実施形態においては、ねじりコイルばねの他端が支持部材に固定されているが、これに代えて他端を固定せず、単にねじりコイルばねの巻き部をディマースイッチノブに一体形成された固定部にて固定するよう構成してもよい。更に、本実施形態においては、二輪車のディマースイッチに適用しているが、他の形態の車両にも適用可能である。
【産業上の利用可能性】
【００３３】
復元ばねを覆うことにより当該復元ばねを軸部に固定させる固定部がディマースイッチノブに一体的に形成されたディマースイッチであれば、外観形状が異なるもの或いは他の機能が付加されたもの等にも適用することができる。
【図面の簡単な説明】
【００３４】
【図１】本発明のディマースイッチが配設されるスイッチケースを示す正面図
【図２】同スイッチケース内部を背面側から見た模式図
【図３】同ディマースイッチにおけるディマースイッチノブ及び可動部材の組み付けを示す模式図
【図４】同ディマースイッチにおけるディマースイッチノブを示す模式図であって（ａ）上面図（ｂ）裏面図
【図５】同ディマースイッチにおける可動部材を示す模式図であって上面図及び正面図
【図６】同ディマースイッチにおける接点板を示す模式図
【図７】同ディマースイッチにおける支持部材を示す模式図
【図８】同ディマースイッチにおける復元ばねとしてのねじりコイルばねを示す模式図
【図９】同ディマースイッチにおけるねじりコイルばねとディマースイッチノブの固定部との位置関係を示した模式図
【図１０】同ディマースイッチにおけるディマースイッチノブが下方照射位置にある状態を示す模式図
【図１１】同ディマースイッチにおけるディマースイッチノブが前方照射位置にある状態を示す模式図
【図１２】同ディマースイッチにおけるディマースイッチノブがパッシング位置にある状態を示す模式図
【符号の説明】
【００３５】
１    スイッチケース
２    ディマースイッチノブ
２ｂ  固定部
３    ターンシグナルスイッチノブ
４    ホーンスイッチボタン
５    支持部材
５ａ  軸部
６    接点板
７    可動部材
８    バネ
９    ボール
１０  ねじりコイルばね（復元ばね）
１０ａ  一端
１０ｂ  他端
１０ｃ  巻き部
【図１】
0004558606.tif 000002
【図２】
0004558606.tif 000003
【図３】
0004558606.tif 000004
【図４】
0004558606.tif 000005
【図５】
0004558606.tif 000006
【図６】
0004558606.tif 000007
【図７】
0004558606.tif 000008
【図８】
0004558606.tif 000009
【図９】
0004558606.tif 000010
【図１０】
0004558606.tif 000011
【図１１】
0004558606.tif 000012
【図１２】
0004558606.tif 000013